(57)【要約】    【課題】蓋体を開放するヒンジスプリングの付勢力を強くすることなく、確実にロック解除して蓋体を開放可能な炊飯器を提供する。    【解決手段】操作部材３４は、蓋体１８の上面と一致する操作部３７と、操作部３７の両側より突出する軸部３８とを備え、軸部３８に、軸部３８の軸心と略同軸になるように外嵌させて配設するコイル状のバネ本体４１ａと、バネ本体４１ａの一端より突出して操作部３７を外向きに付勢する第１付勢部４１ｂと、バネ本体４１ａの他端より突出して蓋体１８の前端部２６を外向きに付勢する第２付勢部４１ｃとからなるキックバネ４１を配設する。【選択図】図５
2005152117.tif 000002
【特許請求の範囲】
【請求項１】
炊飯鍋を着脱可能に収容する炊飯器本体と、該炊飯器本体に開閉可能に取り付けられ付勢手段によって開き方向に付勢された蓋体とを備え、前記蓋体の正面側に、開放用の操作部材と、該操作部材に連動するロック機構とを配設した炊飯器において、
前記操作部材は、蓋体の上面と一致する操作部と、該操作部の両側より突出する軸部とを備え、
前記軸部に、該軸部の軸心と略同軸になるように外嵌させて配設するコイル状のバネ本体と、該バネ本体の一端より突出して前記操作部を外向きに付勢する第１付勢部と、前記バネ本体の他端より突出して蓋体の前端部を外向きに付勢する第２付勢部とからなるキックバネを配設したことを特徴とする炊飯器。
【請求項２】
前記操作部材は、前記軸部が操作部の前側に位置していることを特徴とする請求項１に記載の炊飯器。
【請求項３】
前記蓋体は、上板と、該上板に対して取り付けた下板とを備え、
前記上板に、その前端縁より後向きに延びるように前記操作部材を配設する配設用切欠部を設けたことを特徴とする請求項１または請求項２に記載の炊飯器。
【発明の詳細な説明】
【技術分野】
【０００１】
本発明は炊飯器に関し、特に、炊飯器の蓋体の構造に関するものである。
【背景技術】
【０００２】
本発明の炊飯器に関連する先行技術文献情報としては次のものがある。
【０００３】
【特許文献１】特開２０００−１４５３８号公報
【０００４】
この特許文献１の炊飯器は、炊飯鍋を着脱可能に収容する炊飯器本体と、該炊飯器本体に開閉可能に取り付けた蓋体とを備えている。そして、前記蓋体には、開放用の操作部材が回動可能に装着されるとともに、該操作部材の操作に連動するロック機構とが配設されている。
【０００５】
前記ロック機構は、略Ｌ字形状に突出する一対のロック部を形成したフック部材を備えている。このフック部材の上部中央には押圧用の突片が設けられ、該突片を前記操作部材に設けた押圧部が下向きに押圧することにより、フック部材を回動させ、前記ロック部と炊飯器本体に形成したロック孔とのロックを解除する構成としている。
【０００６】
前記操作部材は、コイルスプリングにより外向きに付勢されている。具体的には、このコイルスプリングは、その軸心と操作部材の操作方向とが一致するように配設されている。また、前記フック部材は、前記ロック部によって炊飯器本体とのロック状態を維持する方向へフックバネによって付勢されている。さらに、蓋体は、炊飯器本体とのヒンジ接続部において、ヒンジスプリングによって開き方向に付勢されている。
【発明の開示】
【発明が解決しようとする課題】
【０００７】
しかしながら、前記炊飯器では、操作部材の操作によりフック部材によるロックを解除した状態で、前記操作部材に指を添えたままヒンジスプリングの付勢力によって徐々に蓋体を開放すると、コイルスプリングの付勢力が蓋体を閉じ方向に押圧するように作用する。その結果、フック部材のロック部が完全にロック解除位置に移動していない状態で、操作部材から指を離すことになり、再びロック状態になって蓋体を開放できないことが希にある。この問題は、蓋体を開放方向に付勢するヒンジスプリングの付勢力を強く設定することにより解決できるが、この場合、操作部材の操作後に蓋体から指を離すと、急激に蓋体が開放し、最悪の場合には蓋体が開放端まで達すると炊飯器本体の前端が反動で浮き上がるという不都合が生じる。
【０００８】
そこで、本発明では、蓋体を開放するヒンジスプリングの付勢力を強くすることなく、確実にロック解除して蓋体を開放可能な炊飯器を提供することを課題とするものである。
【課題を解決するための手段】
【０００９】
前記課題を解決するため、本発明の炊飯器は、炊飯鍋を着脱可能に収容する炊飯器本体と、該炊飯器本体に開閉可能に取り付けられ付勢手段によって開き方向に付勢された蓋体とを備え、前記蓋体の正面側に、開放用の操作部材と、該操作部材に連動するロック機構とを配設した炊飯器において、前記操作部材は、蓋体の上面と一致する操作部と、該操作部の両側より突出する軸部とを備え、前記軸部に、該軸部の軸心と略同軸になるように外嵌させて配設するコイル状のバネ本体と、該バネ本体の一端より突出して前記操作部を外向きに付勢する第１付勢部と、前記バネ本体の他端より突出して蓋体の前端部を外向きに付勢する第２付勢部とからなるキックバネを配設した構成としている。
【００１０】
また、前記操作部材は、前記軸部が操作部の前側に位置することが好ましい。
【００１１】
さらに、前記蓋体は、上板と、該上板に対して取り付けた下板とを備え、前記上板に、その前端縁より後向きに延びるように前記操作部材を配設する配設用切欠部を設けることが好ましい。
【発明の効果】
【００１２】
本発明の炊飯器では、操作部を外向きに付勢するキックバネの第２付勢部を蓋体の前端部を外向きに付勢するように配設しているため、操作部材を押圧操作した状態では、キックバネの反力、言い換えれば、キックバネの付勢力は、従来と同様に蓋体に対して加わる。しかし、その力が加わる方向は、従来例のように、蓋体の閉じ方向である操作部材の操作方向と略同一ではなく、前記操作方向に対して交差した方向に作用する。そのため、キックバネによって蓋体に加わる回転モーメントは、付勢手段の付勢力に抗して蓋体の開放を妨げるようには殆ど作用しない。その結果、蓋体を炊飯器本体に対して開放する目的で操作部材を操作したにも拘わらず、操作部材を付勢するためのバネが蓋体の閉じ方向に作用し、開放できない状態となる問題を大幅に抑制することができる。
【００１３】
言い換えれば、従来の構造では蓋体を開放方向に付勢する付勢手段の付勢力を強くできないため、操作部材を付勢する付勢手段の付勢力の設定が極めて高精度であったのに対し、本発明では、付勢力の設定精度が極めて低くてもよく、その結果、生産性および設計の自由度を向上することができる。そのため、蓋体を炊飯器本体に対して確実に開放可能なバネの付勢力の設定を実現できる。
【００１４】
また、炊飯器では、ユーザが炊飯器本体に対して蓋体を閉じる場合には、蓋体の前端外面に手を添えて押し下げることが多いが、前記操作部材は、前記軸部を操作部の前側に位置させているため、この蓋体の閉じ操作の際に誤って操作部材による蓋体の開放操作を行った状態となり、蓋体を炊飯器本体に対して閉塞できない状況になることを防止できる。
【発明を実施するための最良の形態】
【００１５】
以下、本発明の実施の形態を図面に従って説明する。
【００１６】
図１および図２は、本発明の実施形態に係る炊飯器を示す。この炊飯器は、炊飯鍋１０と、該炊飯鍋１０を着脱可能に収容する炊飯器本体１１と、該炊飯器本体１１に回動可能に取り付けられる蓋体１８とからなり、この蓋体１８の内側の面に内蓋６５を着脱可能に取り付けるようにしたものである。
【００１７】
前記炊飯鍋１０は、熱伝導率が高いアルミ等からなる鍋母材の外面に、本実施形態の加熱手段である誘導加熱コイルへの高周波電流の通電時に生じる渦電流によって電磁誘導加熱される強磁性材料をコーティングや接合等を施したものである。
【００１８】
前記炊飯器本体１１は、有底筒形状をなす胴体の内部に、前記炊飯鍋１０を収容する非導電性材料からなる保護枠１２を備えている。これら胴体と保護枠１２との間には、図示しない加熱手段である誘導加熱コイルと、炊飯鍋用温度センサと、マイコンを実装した制御基板とが配設されている。
【００１９】
この炊飯器本体１１の背面側上部（図１中右側上部）には、図３に示すように、蓋体１８を開閉可能に取り付けるためのヒンジ受部１３が設けられている。このヒンジ受部１３には、略Ｌ字形状をなすブラケット部１４ａの上端に、一対の軸受部１４ｂを突設した金属製のヒンジ金具１４が配設されている。そして、このヒンジ金具１４に、蓋体１８を貫通させた金属製の軸２２を貫通させて配設することにより、ヒンジ受部１３が熱によって変形したり、使用に伴う摩耗によりガタツキが生じることを防止している。
【００２０】
また、炊飯器本体１１には、その正面である前端上面に操作部１５ａおよび液晶表示部１５ｂを有する操作基板１５が設けられるとともに、その外側に液晶表示部１５ｂと対応する部分を透明としたカバー１６が配設されている。さらに、この操作基板１５の配設部の背部、即ち、後述する蓋体１８の前端部２６との対向面には、上下方向にかけて内向きに窪む溝からなり、後述するロック機構のロック部材５９に形成したロック部６０がロックする被ロック部１７が設けられている。
【００２１】
前記蓋体１８は、前記炊飯器本体１１に開閉可能にヒンジ接続され、この炊飯器本体１１の開口部を閉塞するもので、上板１９と、該上板１９に対して一体に取り付けられる下板２４と、該下板２４の底面に着脱可能に装着され炊飯鍋１０の開口部を密閉する内蓋６５とからなる。この蓋体１８の内部には、従来と同様に図示しない蓋用温度センサと蓋ヒータとが配設される。また、本実施形態では、ヒンジ接続部２１と反対側である下板２４の前端部２６には補強部材３２が配設されている。
【００２２】
前記上板１９には、炊飯時に発生する蒸気を外部に排気する排気口２０が設けられている。また、この上板１９の背部には、前記炊飯器本体１１のヒンジ受部１３に軸着するためのヒンジ接続部２１が設けられている。そして、前記ヒンジ金具１４に貫通させる軸２２には、蓋体用付勢手段であるヒンジスプリング２３が配設され、このヒンジスプリング２３の一端が該上板１９を上向きに付勢することにより、蓋体１８全体を開き方向に付勢するように構成している。ここで、このヒンジスプリング２３の付勢力は、従来と同様に、蓋体１８の重心および重量と、希望の開放速度との関係で設定され、後述する操作部材３４を外向きに付勢するキックバネ４１の付勢力は全く考慮していない。
【００２３】
前記下板２４は、図１，３，４に示すように、略水平方向に延びる基板部２５を備え、その前端に垂直方向に延びる前端部２６を設けたものである。この基板部２５には、前記上板１９の排気口２０と対応する開口２７が設けられ、この開口２７の縁から上向きに突出する上筒部２８が設けられるとともに、前記開口２７を囲繞するように基板部２５の下面より大きく開口した下筒部２９が突設されている。これら筒部２８，２９は、炊飯時に発生した蒸気を排気する排気経路を構成するもので、前記上筒部２８には、上板１９との間をシールするシール部材（図示せず）が配設される。また、前記下筒部２９の下端開口には、金属製のヒータカバー３０が配設され、該ヒータカバー３０の上面に蓋ヒータが配設される。
【００２４】
ここで、前記蓋ヒータおよび蓋用温度センサは、前記炊飯器本体１１からヒンジ接続部２１を通して配線したリード線によって電気接続される。この炊飯器本体１１から配線されたリード線、および、蓋ヒータと蓋用温度センサとに接続したリード線は、コネクタによって接続しており、このコネクタの配設部３１は、前記下板２４の基板部２５において最も高い位置、即ち、前記上筒部２８の基部に設けられている。
【００２５】
前記補強部材３２は、炊飯時の熱によって樹脂製の蓋体１８が変形するのを防止するためのもので、前記下板２４の前端部２６の外面に略左右の略全幅にかけて水平方向に延びるように配設した金属製のものである。この補強部材３２は、下板２４の前端部２６を略全体にかけて覆う垂直部３２ａと、下板２４の前端下部を覆う水平部３２ｂとを備え、この水平部３２ｂを下板２４に対してネジ止めすることにより離脱不可能に固定している。また、この補強部材３２の垂直部３２ａには、後述するスライド部材５２の係止部５５の先端およびロック部材５９のロック部６０を進退可能に挿通するとともに、前記下板２４の前端部２６に形成した挿通孔２６ａ，２６ｂに対応する挿通孔３３ａ，３３ｂが設けられている。
【００２６】
前記蓋体１８には、その前端に開放用の操作部材３４と、該操作部材３４に連動するロック機構とが配設されている。
【００２７】
前記操作部材３４は、前記下板２４の前部に設けた軸受部３５に回動可能に装着され、前記上板１９の前端縁中央から後向きに延びるように設けた略半円形状の配設用切欠部３６より露出されるとともに、該上板１９の上面に略面一に一致するものである。具体的には、図４から図６に示すように、操作部材３４は、前記配設用切欠部３６に一致する形状の操作部３７を備え、その操作部３７の前部両側に、前記軸受部３５に取り付けられる軸部３８が突設されている。また、一方の軸部３８の背部には、該操作部材３４の軸部３８と反対側の領域、即ち、ユーザが開放操作する領域を上向きに付勢するための操作部材用付勢手段を取り付ける取付部３９が設けられている。さらに、操作部３７の後端には、後述するロック部材５９を移動させる一対の動作部４３が下向きに突設されている。
【００２８】
前記取付部３９は、その背部に操作部材用付勢手段を係止する係止溝４０が設けられている。そして、本実施形態の付勢手段は、前記軸部３８の軸心と略同軸になるように外嵌させて配設するコイル状のバネ本体４１ａと、該バネ本体４１ａの両端より突出する付勢部４１ｂ，４１ｃとからなるキックバネ４１が使用されている。第１付勢部４１ｂは、前記係止溝４０に引っ掛けるように係止される半円形状に折り曲げられたフック部を備え、前記操作部３７を外向きに付勢するものである。第２付勢部４１ｃは、基板部２５と前端部２６との境界部分に設けられた取付孔４２に差し込まれることにより固定されるとともに、前端部２６を外向きに付勢するものである。なお、前記取付孔４２には、第２付勢部４１ｃを位置決めするためのリブが設けられている。
【００２９】
前記動作部４３は、その後端４３ａが操作部３７の後端縁より若干後方に突出するとともに、後側上向きに傾斜する傾斜部４３ｂを備えた三角形状のものである。この動作部４３は、前記後端４３ａがキックバネ４１の付勢力によって上板１９の内面に当接し、該上板１９の上面と操作部３７とが面一に一致した状態を維持するとともに、離脱を防止できるように構成している。また、傾斜部４３ｂは、後述するロック部材５９を後向き（図１では右向き）にスライドさせるものである。
【００３０】
前記ロック機構は、前記下板２４の前部に形成したロック機構配設部４４に配設されるスライド部材５２と、ロック部材５９と、着脱可能に配設される内蓋６５に形成する受部７１とで構成されている。
【００３１】
前記下板２４のロック機構配設部４４は、スライド部材５２をスライド可能に装着する装着凹部４５を備えている。この装着凹部４５には、前記操作部材３４の動作部４３が入り込む窪み部４６が設けられるとともに、前部にスライド部材５２の係止部５５を貫通させるための貫通孔４７が設けられている。また、装着凹部４５の後側両側部には、スライド部材５２を後退位置に付勢するスライド部材用付勢手段を装着して係止する溝を備えた取付部４８が設けられている。また、ロック機構配設部４４は、前記装着凹部４５の上側がロック部材５９をスライド可能に配設する装着部４９を構成しており、その両側より格子状をなす複数のリブ５０が縦横に所定配列で設けられるとともに、そのリブ５０の所定位置にロック部材５９の両側縁をガイドする略逆Ｔ字形状をなすガイド部５１が突設されている。
【００３２】
前記スライド部材５２は、前記装着凹部４５内にスライド可能に配設され、その先端に設けた係止部５５を設けたものである。具体的には、このスライド部材５２には、進出位置で前記窪み部４６に対応する切欠部５３が設けられている。また、この切欠部５３の後側には、該スライド部材５２を蓋体１８に対して後退位置に付勢するためのスライド部材用付勢手段を装着する略逆Ｌ字形状の取付部５４が上向きに突設されている。このスライド部材５２の先端に形成される係止部５５は、前記貫通孔４７から垂下して下板２４における基板部２５から下側に貫通される略倒Ｌ字形状のものである。この係止部５５には、後述するロック部材用付勢手段を配置するための装着溝５６が進退方向に延びるように設けられるとともに、その後端にロック部材５９の装着溝６１内に挿通されるとともに前記付勢手段の一端を装着する挿通部５７が設けられている。
【００３３】
前記スライド部材５２を後退位置に付勢するスライド部材用付勢手段は、前記取付部５４に外嵌させて配設するリング状の本体５８ａと、該本体５８ａの両端より略Ｖ字形状に突出して前記取付部４８に固定される一対の固定部５８ｂとからなるフックスプリング５８が使用されている。
【００３４】
前記ロック部材５９は、前記スライド部材５２のスライドに従動してスライド可能で、かつ、該スライド部材５２に対してスライド可能に配設したものである。言い換えれば、このロック部材５９は、前記スライド部材５２に対してスライド可能に装着することにより、前記スライド部材５２がフックスプリング５８の付勢力に抗してスライドすると、該スライド部材５２に従動して蓋体１８に対してスライドするものである。
【００３５】
具体的には、ロック部材５９は、前記スライド部材５２より幅広で、先端に上向きに突出する部分を設けた略倒Ｌ字形状のベースを備えている。このロック部材５９の前端両側部には、スライド部材５２が進出した状態で前記前端部２６および補強部材３２の挿通孔２６ｂ，３３ｂから突出し、前記炊飯器本体１１の被ロック部１７にロックする一対のロック部６０が突設されている。また、このロック部材５９には、前記スライド部材５２に対して進出した位置で前記装着溝５６に対応する装着溝６１が設けられている。さらに、前記ロック部材５９には、スライド部材５２が下板２４に対して進出した状態で、かつ、ロック部材５９がスライド部材５２に対して進出した状態で、前記ロック機構配設部４４の窪み部４６に対応するとともに、前記操作部材３４の動作部４３に対応するスライド用孔６２が設けられている。さらにまた、ロック部材５９の後端両側部には、ロック機構配設部４４のガイド部５１の下方に挿入されるガイド片６３が設けられている。
【００３６】
本実施形態では、前記各装着溝５６，６１内に位置するように、ロック部材５９の先端とスライド部材５２の挿通部５７との間にはコイルスプリング６４が配設され、これにより前記ロック部材５９をスライド部材５２に対して進出位置に付勢するように構成している。
【００３７】
前記内蓋６５は、複数の排気孔（図示せず）を形成した金属製の内蓋本体６６と、炊飯鍋１０の開口部に密着する環状のシール片６７ａを備えたシール部材６７と、該シール部材６７を前記内蓋本体６６に装着するための樹脂枠６８とからなる。ここで、この樹脂枠６８には、前記蓋体１８のヒンジ接続部２１と対応する後側に、下板２４に形成した位置決め凹部６９に対応する位置決め部７０が突設されている。また、前記スライド部材５２の係止部５５に対応する前側には、フックスプリング５８の付勢力に抗して前記スライド部材５２を進出させるとともに、前記スライド部材５２の係止部５５に係止する受部７１が設けられている。
【００３８】
次に、前記ロック機構の動作について具体的に説明する。
【００３９】
まず、蓋体１８に対して内蓋６５を装着していない状態では、図７（Ａ），（Ｂ）に示すように、係止部５５に受部７１が係合しないため、スライド部材５２がフックスプリング５８の付勢力によって後退した状態をなす。これにより、ロック部材５９は従動して蓋体１８に対して後退した状態になり、該ロック部材５９に形成したロック部６０は、蓋体１８内に没入した状態をなす。
【００４０】
次に、前記蓋体１８に対して内蓋６５を装着すると、図６（Ａ），（Ｂ）に示すように、まず、係止部５５を受部７１が押圧し、フックスプリング５８の付勢力に抗してスライド部材５２を前方へ進出させる。そして、内蓋６５を完全に装着すると、スライド部材５２の係止部５５に内蓋６５の受部７１が係合し、スライド部材５２がフックスプリング５８の付勢力に抗して進出した状態を維持する。また、スライド部材５２の進出により、ロック部材５９が従動して蓋体１８に対して進出する。これにより、ロック部材５９のロック部６０が下板２４の前端部２６の挿通孔２６ｂを貫通して外側に突出することにより、炊飯器本体１１の被ロック部１７に対してロック可能な状態をなす。
【００４１】
この内蓋６５を装着した蓋体１８を炊飯器本体１１に対して閉塞すると、補強部材３２から突出したロック部材５９のロック部６０が、炊飯器本体１１における被ロック部１７の上側縁に当接する。この状態で、更に蓋体１８を下向きに押圧することにより、ロック部材５９がコイルスプリング６４の付勢力に抗してスライド部材５２に対して後向きにスライドする。そして、完全に閉塞した状態でコイルスプリング６４の付勢力によってロック部材５９がスライド部材５２に対して前向きにスライドし、ロック部６０が前端部２６から進出することにより被ロック部１７とロックし、閉塞状態を維持する。
【００４２】
ここで、この種の炊飯器では、ユーザが炊飯器本体１１に対して蓋体１８を閉じる場合には、蓋体１８の前端外面に手を添えて押し下げることが多い。そして、その際には、蓋体１８の前端中央に操作部材３４の操作部３７が位置するため、誤って操作部材３４による蓋体１８の開放操作を行った状態となり、蓋体１８を炊飯器本体１１に対して閉塞できない状況になることが考えられる。しかし、本実施形態では、操作部材３４の軸部３８を操作部３７における前側に位置させているため、このような問題が生じることを確実に防止できる。
【００４３】
次に、炊飯器本体１１を閉塞した蓋体１８を開放する場合、図８（Ａ），（Ｂ）に示すように、操作部材３４の操作部３７を下向きに押圧する。そうすると、操作部材３４の動作部４３がロック部材５９のスライド用孔６２の後端縁に当接する。この状態で更に押圧すると、コイルスプリング６４の付勢力に抗して動作部４３の傾斜部４３ｂでスライド用孔６２を後向きに押圧し、前記コイルスプリング６４を収縮させながらスライド部材５２に対してロック部材５９を後向きにスライドさせる。これにより、ロック部材５９のロック部６０が蓋体１８内に没入し、被ロック部１７とのロックが解除される。
【００４４】
次に、この操作部材３４を開放操作することによる蓋体１８に加わる力および作用について図９（Ａ），（Ｂ）を参照しながら説明する。なお、この図９（Ａ）は図１に示す本実施形態の炊飯器の蓋体１８である。また、図９（Ｂ）はコイルスプリングからなる従来の付勢手段と比較するために、ロック機構を含む他の構成は本実施形態を適用したものである。即ち、操作部材３４を操作することによって蓋体１８に加わる力および作用は、蓋体１８を付勢するヒンジスプリング２３およびロック機構に使用する付勢手段（コイルスプリング）の付勢力や構造にも大きな関係を有するが、これらの関係による相違を無くした状態とするために、本実施形態の構造に強制的に従来の付勢構造を適用している。
【００４５】
まず、図９（Ａ）に示すように、本実施形態の付勢構造の場合、蓋体１８を開放するために操作部材３４を下向きに押圧操作すると、該操作部材３４に配設したキックバネ４１の反力、言い換えれば、キックバネ４１の付勢力は、蓋体１８を構成する前端部２６を押圧するように、操作部材３４の操作方向と略直角に作用する。一方、図９（Ｂ）に示すように、従来例の付勢構造の場合、コイルスプリングの反力（付勢力）は、操作部材３４の操作方向と略同一に作用する。
【００４６】
そして、本実施形態の付勢構造の場合、蓋体１８の回転中心（軸２２）からの垂線Ｌ１の方向と、反力Ｎ１が作用する方向とは、略同一である。一方、従来の付勢構造の場合、蓋体１８の回転中心からの垂線Ｌ２の方向と、反力Ｎ２の方向とは、略直角である。そのため、本実施形態の付勢構造では、蓋体１８を閉じる方向には反力Ｎ１による回転モーメントは殆ど作用しないが、従来の付勢構造では蓋体１８を閉じる方向に反力Ｎ２による回転モーメント（Ｌ２・Ｎ２）は最大限に作用する。その結果、従来の構造では、ヒンジスプリング２３の付勢力に抗して蓋体１８の開放を妨げることになるが、本実施形態では蓋体１８の開放を殆ど妨げることはない。なお、本実施形態の付勢構造でも、操作部材３４の操作方向である蓋体１８の閉じ方向にも若干の力が作用するが、ヒンジスプリング２３の付勢力に打ち勝って蓋体１８の開放を妨げることはない。
【００４７】
その結果、蓋体１８を炊飯器本体１１に対して開放する目的で操作部材３４を操作したにも拘わらず、操作部材３４を付勢するためのバネ４１が蓋体１８の閉じ方向に作用し、開放できない状態となる問題を大幅に抑制することができる。言い換えれば、従来の構造では蓋体１８を開放方向に付勢するヒンジスプリング２３の付勢力を強くできないため、操作部材３４を付勢する付勢手段の付勢力の設定が極めて高精度であったのに対し、本発明では、キックバネ４１の付勢力の設定精度が極めて低くてもよく、生産性および設計の自由度を向上することができる。そのため、蓋体１８を炊飯器本体１１に対して確実に開放可能なバネの付勢力の設定を実現できる。
【００４８】
なお、本発明の炊飯器は、前記実施形態の構成に限定されるものではなく、種々の変更が可能である。
【図面の簡単な説明】
【００４９】
【図１】本発明の実施形態に係る炊飯器を示す部分断面図である。
【図２】図１の斜視図である。
【図３】ヒンジ接続部を示す斜視図である。
【図４】ロック機構を示す分解斜視図である。
【図５】（Ａ），（Ｂ）は操作部材の取付構造を示す断面図である。
【図６】蓋体に内蓋を装着した状態を示し、（Ａ）は要部断面図、（Ｂ）は要部斜視図である。
【図７】蓋体に内蓋を装着していない状態を示し、（Ａ）は要部断面図、（Ｂ）は要部斜視図である。
【図８】操作部材を操作した状態を示し、（Ａ）は要部断面図、（Ｂ）は要部斜視図である。
【図９】付勢手段の力による蓋体への作用を説明するためのもので、（Ａ）は本発明の構成を示す断面図、（Ｂ）は従来の構成を示す断面図である。
【符号の説明】
【００５０】
１０…炊飯鍋、１１…炊飯器本体、１３…ヒンジ受部、１８…蓋体、２１…ヒンジ接続部、２３…ヒンジスプリング（付勢手段）、３４…操作部材、３５…軸受部、３７…操作部、３８…軸部、４１…キックバネ、４１ａ…バネ本体、４１ｂ…第１付勢部、４１ｃ…第２付勢部、４２…取付孔。
【図１】
2005152117.tif 000003
【図２】
2005152117.tif 000004
【図３】
2005152117.tif 000005
【図４】
2005152117.tif 000006
【図５】
2005152117.tif 000007
【図６】
2005152117.tif 000008
【図７】
2005152117.tif 000009
【図８】
2005152117.tif 000010
【図９】
2005152117.tif 000011